(57)【要約】【課題】アンテナが必要とするスペースを減少させ、さらに、他の電子部品との干渉を減少させるコンピュータシステムを提供する。【解決手段】ポータブル・コンピュータシステム（１０）は、画面部材（１４）を支持するようにした溝縁（５６）と、前記溝縁（５６）と前記画面部材（１４）との間に、少なくとも一部、配置されたアンテナ（２０）と、を備える。【選択図】  図２
2005312036.tif 000002
【特許請求の範囲】
【請求項１】
画面部材を支持するようにした溝縁と、
前記溝縁と前記画面部材との間に、少なくとも一部、配置されたアンテナと、
を備えるポータブル・コンピュータシステム。
【請求項２】
前記アンテナが、前記画面部材の内面上に被着された導電トレースを含むことを特徴とする請求項１に記載のシステム。
【請求項３】
前記画面部材の内面付近に配置された表示装置をさらに備えることを特徴とする請求項１に記載のシステム。
【請求項４】
前記アンテナが、前記画面部材の内面に沿って、所定の距離だけ延びていることを特徴とする請求項１に記載のシステム。
【請求項５】
前記アンテナが、パターン部分を備えることを特徴とする請求項１に記載のシステム。
【請求項６】
前記アンテナが、前記パターン部分から画面部材コネクタまで延びている延長部分を含むことを特徴とする請求項５に記載のシステム。
【請求項７】
前記アンテナが、前記画面部材の少なくとも２つの側部域まで延びている延長部分を含むことを特徴とする請求項１に記載のシステム。
【請求項８】
前記アンテナを前記ポータブル・コンピュータシステムの内部アンテナ回路に導電結合するようにした画面部材コネクタをさらに備えることを特徴とする請求項１に記載のシステム。
【請求項９】
前記溝縁が、前記アンテナを、前記ポータブル・コンピュータシステムの内部アンテナ回路に導電結合するようにしていることを特徴とする請求項１に記載のシステム。
【請求項１０】
前記溝縁が、前記アンテナを、前記ポータブル・コンピュータシステムの内部アンテナ回路に導電結合する導電ビアを備えることを特徴とする請求項１に記載のシステム。
【発明の詳細な説明】
【技術分野】
【０００１】
本発明は、ポータブル・コンピュータシステム、特にその内部アンテナの構造に関する。
【背景技術】
【０００２】
ラップトップ型パソコンまたはノート型パソコン、タブレット・パソコン、ＰＤＡ（情報携帯端末）、および他のタイプのポータブル・コンピューティング装置などのポータブル・コンピュータシステムは、一般に、無線通信を可能にするアンテナを備えている。例えば、或るタイプのポータブル装置アンテナは、プリント基板上に形成され、かつ、ケーブルを介するなどして、ＰＣＩ（ｐｅｒｉｐｈｅｒａｌ  ｃｏｍｐｏｎｅｎｔ  ｉｎｔｅｒｆａｃｅ）カード、バス、またはコンピュータシステム中の他のタイプの電子装置に導電結合される導電トレースを含む。しかしながら、ポータブル・コンピュータシステム中のアンテナ配置は、一般に、電子装置中の限られたスペースの可用性、および／または、電子装置の他の電子部品との干渉によって制約される。
【発明の開示】
【発明が解決しようとする課題】
【０００３】
本発明の目的は、アンテナが必要とするスペースを減少させ、さらに、他の電子部品との干渉を減少させることである。
【課題を解決するための手段】
【０００４】
本発明の一実施形態により、ポータブル・コンピュータシステムは、画面部材を支持するようにした溝縁（ｂｅｚｅｌ、ベゼル）を含む。このポータブル・コンピュータシステムはまた、溝縁と画面部材との間に、少なくとも一部配置されたアンテナも含む。
【０００５】
本発明の他の実施形態により、ポータブル・コンピュータシステムを製造する方法は、内面にアンテナが配置されている画面部材を提供することを含む。この方法はまた、画面部材を支持するようにした溝縁を提供して、その溝縁と、画面部材との間にアンテナの少なくとも一部を配置することも含む。
【０００６】
本発明のさらに他の実施形態により、ポータブル・コンピュータシステムは、画面部材と、この画面部材の内面付近に配置された表示装置を含む。ポータブル・コンピュータシステムはまた、画面部材の内面上に配置されたアンテナも含む。
【発明を実施するための最良の形態】
【０００７】
ここで、本発明、および本発明の利点をより完全に理解するために、添付図面に関連して取り上げられた以下の説明を参照する。
【０００８】
本発明の好ましい実施形態、および本発明の利点は、様々な図面の対応する同じ部分に、同じ数字が用いられている図面の図１と図２を参照すれば、もっともよく理解される。
【０００９】
図１は、本発明によるポータブル・コンピュータシステム１０の一実施形態を示す図である。図２は、図１の線２−２で切断したポータブル・コンピュータシステム１０の断面図である。図１と図２に示される実施形態では、システム１０は、表示装置１６の真上に透明な画面部材１４が配置されているポータブル・コンピュータ装置１２を含む。ポータブル・コンピュータ装置１２は、ラップトップ型パソコンまたはノート型パソコン、ＰＤＡ（情報携帯端末）、タブレット・パソコン（ＰＣ）、あるいは、他の任意タイプのポータブル・コンピューティング装置から成ることがある。表示装置１６は、液晶ディスプレイ（ＬＣＤ）、または、情報を装置１２のユーザに視覚的に表示する他の任意タイプの装置から成ることがある。画面部材１４は、ディジタイザ・インターフェース、タッチスクリーン、書込み表面、保護ガラスカバー、あるいは、表示装置１６の真上に配置された他のタイプの透明部材から成ることがある。
【００１０】
図１と図２に示される実施形態では、システム１０は、装置１２用の無線通信を可能にするアンテナ２０を含む。図１と図２に示される実施形態では、アンテナ２０は、画面部材１４の内面２２上に配置された導電材から成っている。例えば、図１を参照すると、システム１０は、画面部材１４の外面２４に向かって見た透視図から示され、アンテナ２０が装置１２の側部域（ｓｉｄｅ  ａｒｅａ）２８に沿って装置１２の側部域３０まで延びている。アンテナ２０は、張り付けなどして画面部材１４の内面２２に被着された導電材から成っている。例えば、アンテナ２０は、被着、エッチングなどして画面部材１４の内面２２上に形成された導電トレース、画面部材１４の内面２２に張り付けられた金属膜または導電膜、あるいは、装置１２に対して無線通信機能を提供するために画面部材１４の内面２２に配置または付着された他のタイプの導電材から成っていることがある。図１に示される実施形態では、アンテナ２０は、装置１２の２つの側部域に沿って延びている。しかしながら、アンテナ２０は、装置１２のさらに多くの側部域、またはさらに少ない側部域に沿って延びることがあるものとする。さらに、図１に示される実施形態では、アンテナ２０は、ただ１つの導電トレース３４から成っている。しかしながら、それぞれのアンテナ２０に対して、追加アンテナ２０および／または追加導電トレース３４が装置１２上に形成されることがあるものとする。
【００１１】
図１に示される実施形態では、アンテナ２０は、パターン部分４０と、パターン部分４０から延びている延長部分４２から成っている。いくつかの実施形態では、パターン部分４０は、アンテナ２０に対して特定の無線特性を可能にする所望のパターンまたは配置構成の導電材を持つように構成されている。さらに、いくつかの実施形態では、アンテナ２０は、所望のアンテナ特性を容易ならしめるために、かつ／または、装置１２の内部部品にアンテナ２０を容易に接続できるようにするために、延長部分４２および／またはパターン部分４０によって形成された所望の長さまたは所定の長さを持つように構成されている。例えば、装置１２に対して、所望のアンテナ特性を実現するために、画面部材１４の側部域２８または他の任意エリアの特定の場所に沿ってパターン部分４０が配置されることがある。しかしながら、装置１２の内部部品にアンテナ２０を容易に接続できるようにするために、延長部分４２は、画面部材１４のうち、このような内部部品の内部位置に対応する所望の任意場所まで延長するように形成されることがある。図１に示される実施形態では、延長部分４２は、装置１２の複数の側部（例えば、側部域２８と側部域３０）に沿って延びている。しかしながら、延長部分４２は、装置１２のさらに多くの側部、またはさらに少ない側部に沿って延びることがあるものとする。さらに、延長部分４２は、装置１２の特定側部の一部に沿って、あるいは、装置１２の特定側部の全長に沿って延びるように構成されることがあるものとする。さらに、図１では、パターン部分４０は、装置１２のただ１つの側部（例えば、側部域２８）に沿って配置されているものとして図示される。しかしながら、パターン部分４０は、装置１２の複数の側部まで延びることがあるものとする。さらに、アンテナ２０はまた、複数のパターン部分４０および／または延長部分４２を持つように構成されることがある。
【００１２】
図２を参照すると、システム１０は、アンテナ２０を内部アンテナ回路５２に導電結合する画面部材コネクタ５０も含む。例えば、いくつかの実施形態では、内部アンテナ回路５２は、ＰＣＩ（ｐｅｒｉｐｈｅｒａｌ  ｃｏｍｐｏｎｅｎｔ  ｉｎｔｅｒｆａｃｅ）カード、あるいは装置１２中に配置された他のタイプの電子アセンブリまたは電子回路に達するなど、それらに電気的に結合された電気ケーブル５４を含む。しかしながら、装置１２は、他のタイプの内部アンテナ回路および／または装置を持つように構成されることがあるものとする。図２に示される実施形態では、溝縁５６（溝付きの縁）は、画面部材１４および／または表示装置１６を支持し、アンテナ２０を内部アンテナ回路５２に導電結合するように構成されている。例えば、図２に示されるように、表示装置１６は、画面部材１４の内面２２付近に配置されていて、画面部材１４と表示装置１６との間に溝縁フランジ５８が延びている。溝縁フランジ５８は、その内部に設けられた導電ビア６２を含む。図２に示される実施形態では、コネクタ５０は、溝縁５６のビア６２と、アンテナ２０のトレース３４との間に設けられた導電パッドまたはストラップ６４を含んで、アンテナ２０からビア６２までの導電路を提供する。さらに、溝縁フランジ５８の内面６８上に導電パッドまたはストラップ６６を設けて、ビア６２から内部アンテナ回路５２までの導電路も提供する。しかしながら、そうでなければ、コネクタ５０は、画面部材１４から内部アンテナ回路５２まで、アンテナ２０用の導電路を提供するように構成されることがあるものとする。図１と図２に示される実施形態では、アンテナ２０は、好ましくは、画面部材１４の内面２２と、溝縁フランジ５８の外面７０との間に全体が配置されて、表示装置１６を視覚的に妨げないようにしている。しかしながら、アンテナ２０の全部または一部が、溝縁５６のフランジ５８の外に延びて、所望のアンテナ２０特性を受け入れることがあるものとする。例えば、アンテナ２０は、延長部分４２および／またはパターン部分４０がフランジ５８から突出して、所望のアンテナ特性を容易ならしめるように構成されることがある。
【００１３】
したがって、図１と図２に示されるように、アンテナ２０は、画面部材１４の内面２２上に配置され、それにより、従来のアンテナ機器に与えられる、装置１２中に必要とされるスペースが減らされるか、あるいはほぼ排除される。例えば、いくつかの実施形態では、図１と図２に示されるように、アンテナ２０は、装置１２の側部域に沿って、所定の距離または所望の距離だけ延びて、所望の場所において、内部アンテナ回路５２に導電接続される。したがって、本発明の実施形態が装置１２中で利用するスペースは、さらに小さくなる。さらに、本発明の実施形態は、アンテナが装置１２中に配置され、かつ／または、他の電子部品に近すぎることから概ね発生する干渉を、事実上、減らすか、または排除している。さらに、本発明の実施形態は、溝縁５６に対して材料を選択する融通性をさらに向上させられるようにしている。例えば、アンテナ２０が、画面部材１４の内面２２上において、概ね、溝縁５６の下方（画面部材１４と反対側）でなく溝縁５６の上方（画面部材１４側）に配置されるために、溝縁５６を形成するのに使用される材料で起こされる干渉は、事実上、減らされるか、あるいは排除される。それゆえ、本発明の実施形態は、材料と設計の融通性をさらに向上させる。
【００１４】
本発明は、以下の実施態様を含んでいる。
【００１５】
＜実施態様１＞画面部材（１４）を支持するようにした溝縁（５６）と、前記溝縁（５６）と前記画面部材（１４）との間に、少なくとも一部、配置されたアンテナ（２０）と、を備えるポータブル・コンピュータシステム（１０）。
【００１６】
＜実施態様２＞前記アンテナ（２０）が、前記画面部材（１４）の内面（２２）上に被着された導電トレースを含むことを特徴とする実施態様１に記載のシステム（１０）。
【００１７】
＜実施態様３＞前記画面部材（１４）の内面の下部において内面（２２）付近に配置された表示装置（１６）をさらに備えることを特徴とする実施態様１に記載のシステム（１０）。
【００１８】
＜実施態様４＞前記アンテナ（２０）が、前記画面部材（１４）の内面（２２）に沿って、所定の距離だけ延びていることを特徴とする実施態様１に記載のシステム（１０）。
【００１９】
＜実施態様５＞前記アンテナ（２０）が、アンテナ２０に対して特定の無線特性を可能にする所望のパターンまたは配置構成の導電材を持つように構成されているパターン部分（４０）を備えることを特徴とする実施態様１に記載のシステム（１０）。
【００２０】
＜実施態様６＞前記アンテナ（２０）が、前記パターン部分（４０）から画面部材コネクタ（５０）まで延びている延長部分（４２）を含むことを特徴とする実施態様５に記載のシステム（１０）。（コネクタ５０は、溝縁５６のビア６２と、アンテナ２０のトレース３４との間に設けられた導電パッドまたはストラップ６４を含んで、アンテナ２０からビア６２までの導電路を提供する。）
＜実施態様７＞前記アンテナ（２０）が、前記画面部材（１４）の少なくとも２つの側部域（２８、３０）まで延びている延長部分（４２）を含むことを特徴とする実施態様１に記載のシステム（１０）。
【００２１】
＜実施態様８＞前記アンテナ（２０）を前記ポータブル・コンピュータシステム（１０）の内部アンテナ回路（５２）に導電結合するようにした画面部材コネクタ（５０）をさらに備えることを特徴とする実施態様１に記載のシステム（１０）。
【００２２】
＜実施態様９＞前記溝縁（５６）が、前記アンテナ（２０）を、前記ポータブル・コンピュータシステム（１０）の内部アンテナ回路（５２）に導電結合するようにしていることを特徴とする実施態様１に記載のシステム（１０）。
【００２３】
＜実施態様１０＞前記溝縁（５６）が、前記アンテナ（２０）を、前記ポータブル・コンピュータシステム（１０）の内部アンテナ回路（５２）に導電結合する導電ビア（６２）を備えることを特徴とする実施態様１に記載のシステム（１０）。
【産業上の利用可能性】
【００２４】
本発明は、無線システムを使用するポータブル・コンピュータに利用可能である。
【図面の簡単な説明】
【００２５】
【図１】本発明によるポータブル・コンピュータシステムの一実施形態を示す図である。
【図２】図１の線２−２で切断した図１中に示されるポータブル・コンピュータシステムを図解した断面図である。
【符号の説明】
【００２６】
１０  ポータブル・コンピュータシステム
１４  画面部材
１６  表示装置
２０  アンテナ
２２  内面
２８、３０  側部域
４０  パターン部分
４２  延長部分
５０  画面部材コネクタ
５２  内部アンテナ回路
５６  溝縁
６２  導電バイア
【図１】
2005312036.tif 000003
【図２】
2005312036.tif 000004